(57)【要約】      （修正有）【課題】屋内のタンス、戸棚などの家具が地震時に転倒するのを防止する耐震用転倒防止具とその製造方法を提供する。【解決手段】天井部材と家具の上面の間に密着した状態で設置することにより家具の転倒を防止する耐震用転倒防止具で、上下一対として設けられる三面筒状体を形成することにより、その高さを容易に変更出来るとともに、充分な構造強度を備えたトラス構造体（ａ）を形成し、家具の上面を確実に保持して、地震時の転倒を防止する。【選択図】図４
2007098104.tif 000002
【特許請求の範囲】
【請求項１】
上下に一対となる略三面筒状体におけいて、該両筒状体の同軸となる各綾線部附近が相互に連結一体化され、該両筒状体の各二面又は各一面もしくは一方の該筒状体の二面又は一面が選択可能な部位の接着代により固定一体化されて得られるトラス構造体。
【請求項２】
中央部の綾線部相当罫線４をはさみその両脇に傾斜面相当部１が設けられ、さらにそれを区画する折曲部相当罫線５を介してその外縁部に水平面相当部２が設けられるとともに該罫線４附近において連結用手段（ｂ）により相互に連結一体化されてなる２葉の平板ボード（ａ）をして該罫線４，５において折曲することにより設けられる上下に一対となる三面筒状体の各水平面２を選択可能な部位の接着代により固定一体化することにより形成されることを特徴とした第一項記載のトラス構造体の製造方法。
【発明の詳細な説明】
【技術分野】本発明は家屋内などにおける、戸棚などの地震時転倒を防止する耐震用具とその製造方法に関するものである。
〔背景の技術〕【０００１】図１，図２に示される通り従来型の耐震用具として箱方式とジャッキ方式の二つが主なものである。前者は戸棚天板と天井面の間隔Ｈｏに相当した高さ寸法Ｈの段ボール、ベニヤ板の箱を設けるとき強震時にも比較的有効であるが様々な間隔Ｈｏへの寸法対応が現場での素人には困難をきわめ、結果として極めて高価なオーダーメイドの同用具を余儀なくされて来た。
後者は間隔Ｈｏへの寸法対応が素人にも自在かつ容易ではあるが、残念乍ら強震時の横ゆれに弱いためジャッキ自体が早々に転倒するため、実質的にその耐震効果は疑問視されて来た。さらに両者に共通している難点は室内家具などのイメージバランスが全く欠けていて、目ざわりであることである。
【発明の開示】
【０００２】上下に一対となる略三面筒状体において、該両筒状体の同軸となる各綾線部附近が相互に連結一体化され該両筒状体の各二面又は各一面もしくは、一方の該筒状体の二面又は一面が選択可能な部位の接着代により固定一体化されて設けられるトラス構造体をして戸棚天板と天井面の間隔Ｈｏに挿入設置し、地震時における戸棚など家具の転倒防止に資する用具を発明した。
〔発明の課題〕
【０００３】従来例にみられた耐震性能の欠如と寸法対応の困難と云う二つの重大な欠点を同時に解決するとともにコストの大巾なきりさげとインテリヤ品として適わしい形状、材質イメージの提供を可能とする耐震用具が本発明の課題である。
【課題を解決するための手段】
【０００４】上記課題を解決するためには、上下一対の三面筒状体が、その筒状体の同軸とする各綾線部附近において連結一体化されるとともにその両筒状体の各水平面又は各傾斜面において、前記間隔Ｈｏに対応した高さ寸法Ｈを保證する水平面奥行き寸法Ｌを選択することが可能な部位に接着代が設けられ固定一体化されて形成されることであり、その様にして得られた本発明のトラス構造体をして耐震用具として提供することである。
【発明の効果】
【０００５】本発明のトラス構造体は、上下一対となる三面筒状体からなり、その両筒状体がその上下各水平面の略面平行を保たれるかぎり構造的に極めて安定したものである。そのことから最小限の部品材料でありながら、上下方向に最大限の応力を発揮するとともに前記間隔Ｈｏに対応した高さを保證する両筒状体の各水平面奥行き寸法Ｌについてその調整が現場の素人にも容易な可変接着代が設けられている。以上の特徴により耐震用具として本発明のトラス構造体を採用し、天井面と戸棚との間にそれを挿入設置した場合には、上下方向に高い形状剛性をもつため強震時においても、戸棚の対角線軸の回転開始を抑止してその転倒を防止するとともに、天井面、戸棚天板面との接触面を大とする本トラス構造体は自身の転倒も回避出来、さらにまた段ボール資材などが活用できるためまたその資材寸法の標準化が可能とされるため製品コストの大巾きりさげが実現した。
〔本発明を実施するための最適の形態〕
【０００６】本発明を説明するために下記図１，２の従来例と図３〜２４の本発明実施例がある。まづ従来例の図１は段ボール箱式耐震用具、図２はジャッキ式耐震用具である。次に本発明の実施例として図３，４には、図１，２と同等の条件下において２種の設置方法によるほぼ同一形態とした耐震用具の斜視姿図が示され、図５，６と図７，８には本発明の２種トラス構造体の斜視姿図が示され、図５，６又は図７，８にある本トラス構造体が組立てられる前の中間構造体２種とその部品の斜視姿図が示され、図１２，１３，１４には図５，６にある本トラス構造体の中間構造体が組立られる前の各資材平板シート、部材平板ボード、部品、連結用手段の斜視姿図が示され、図１５〜２２には図５，６，７，８にある本トラス構造体以外の各種同構造体の斜視姿図が示され、図２３，２４には本トラス構造体の耐震作用とその効果を模式風に説明する断面図である。
【０００７】以下各図にもとずいて詳細に説明するが、図１の箱式耐震用具イと図２のジャッキ式耐震用具ロでは、各個有の利点とともに無視しがたい欠点をあわせもつ点が特徴的であり、まづ用具イは横ゆれをともなう強震度時においても、高い剛性とともに用具自体の転倒しにくさにより充分な耐震性を発揮するが残念ながら、天井板と戸棚天板の間隔Ｈｏに対応する用具の高さＨの現場調整が著しく困難であることから、段ボール製の割には著しい高価な特注を余儀なくされて来た。かたや用具ロは、そもそもジャッキ機能により間隔Ｈｏに対する高さＨの現場調整が当然容易であるものの残念ながら、細長手のポールと設置面積の大きなくない上下の受座ゆえに、縦ゆれはともかく横ゆれにより用具ロ自体がいとも簡単に転倒を余儀なくされて来た。さらにスクリュー機構をもつ機械装置としてそのコスト切り下げが困難であった。
従来例イ、ロに共通する難点があり、図１，２から明らかの様に大きすぎる箱のボリューム感や金属装置の機能イメージは家具調度のそれとのミスマッチ以外の何もでないと示摘されて来た。
【０００８】本発明の図５，６，図７，８などに示された２種実施例は、上記従来例の利点をよりのばし欠点を解消するべくして実現、提供されたトラス構造体である。
図５のトラス構造体では、上下一対となる三面筒状体（ａ）が綾線部４附近で連結用手段（ｂ）である片面粘着テープにより連結一体化された上で、その綾線部４から上下両方向に各傾斜面１が対向して設けられ、その先端の折曲部５を介して上下各水平面２が相互に面平行とされて設けられるとよい。
さらにその各水平面２では、本トラス構造体の所定の高さＨを保證するべく、接着代の範囲を選択して、その斜線部１３において両面粘着テープによる固定一体化を行うことにより、奥行き寸法Ｌを得ることである。
図６のトラス構造体は、図５のそれと同一のものでありほぼ１／２縮尺として示され、図５のトラス構造体の高さ寸法Ｈを減少させたＨ′とし、奥行寸法Ｌを増大させたＬ′とすべく水平面２における新らたな接着代１３′が選択され固定一体化されて設けられることである。
【０００９】図７のトラス構造体では、上下一対となる略三面筒状体（ａ）が２本の綾線部４にはさまれた連結部６で塗付された接着剤により連結一体化された上で、その綾線部４から上下両方向に各傾斜面１が対向して設けられ、その先端の折曲部５で区画される上下各水平面２が平板ボード部品（ｃ）を介して相互に面平行として設けられるとよい。
さらにその各水平面２では、本トラス構造体の所定の高さ寸法Ｈを保證するべく接着代の範囲を選択して、その斜線部１３において両面粘着テープによる固定一体化を行うことにより奥行寸法Ｌを得ることである。
図８のトラス構造体は、図７のそれと同一のものでありほぼ１／２縮尺として示され、図７のトラス構造体の高さ寸法Ｈを減少させたＨ′とし奥行寸法Ｌを増大させたＬ′とすべく、水平面２における新らたな接着代１３′が選択され固定一体化されて設けられることである。
【００１０】図９は、図５，６に示されるトラス構造体と組立てる直前の中間構造体（ａ）であり、この状態で段ボールケースなどに梱包され、工場在庫、工場からの搬送、店頭での陳列在庫そして宅配などにおいて便利である。この中間構造体は、２葉の平板ボード（ａ）が上、下向い合せとして、綾線部４の両脇部（ｂ′）において片面粘着テープなどの連結用手段（ｂ）により連結一体化されることである。図中小点線で囲まれた両脇部（ｂ′）は、設置固定された連結用手段（ｂ）の全体形状が平板ボード（ａ）を透視して説明図化されたものでもある。さらに平板ボード（ａ）の長端辺７は平板シートの単純折曲、短端辺８は折り返えし折曲され、いずれの端辺もボード内部の露出が避けられボードの材質強度の持続に好都合である。
図１０，１１は図７，８に示されたトラス構造体を組立てる直前の中間構造体（ａ）とその平板部品ボード（ｃ）であり、その両者を組立てないままで段ボールケースなどに梱包され、工場内在庫、工場からの搬送、店頭での陳列在庫そして宅配などに便利である。その中間構造体（ａ）は２葉の平板ボード（ａ）が左右向い合せとして連結部６における接着剤などの連結用手段により連結一体化されることである。
上記各平板ボード（ａ）の端部７が平板シート（ａ′）の単純折曲、同７′が平板シート（ａ′）の折り返えし折曲とされ、端部１２が平板シート（ａ′）の積層断面を見せて設けられる。
【００１１】図１２は本発明のトラス構造体の形成した不可欠な一対の平板ボード（ａ）を製作するための資材としての平板シート（ａ′）であり、紙面の都合上二つ目の平板シート（ａ′）は省略されている。その平板シート（ａ′）がすでにブラントとして加工されており、平板ボード（ａ）の端部相当罫線７，８と連結部相当罫線４と折曲部相当罫線５によりそれぞれ区画される傾斜面相当部１と水平面相当部２と折り返し相当部９が設けられるとよい。
図１３は本発明のトラス構造体を形成する一対の平板ボード（ａ）であり、前記平板シート（ａ′）を封筒状に複層化し各接触面を接着剤などにより固定一体化して設けられるとよい。本平板ボード（ａ）には、トラス構造体の要といえる上下一対の三面筒状体を一体化するための連結部４附近において、図１４に示される片面粘着テープなどの連結用手段（ｂ）が貼付されるべき部位（ｂ′）が設けられることである。よりくわしくは両手段（ｂ）を背中合せに二つ折りした上で片方の平板ボードの両部位（ｂ′）に置き、もう片方の平板ボードを鏡像状に重ねることにより両平板ボードが連結部４を中心軸として連結一体化されて得られるとよい。
【００１２】図１５〜３２には図５，６及び図７，８に示されなかった本発明のトラス構造体として多様な変化タイプが示されそのおおまかな特徴を説明するが、まづ図１５は図５，６の実施例に準ずるものであり、その連結部４がハトメ、鉄などの連結用手段（ｂ）により一体化されるものであり、個々に単独の座部品、相互に共通の横長手状座部品を介して上記連結用手段がほどこされるとさらによい。
図１６は本発明の実施例図５，６に準ずるものであり、接近する２連結部４の間の帯状部が接着剤などを用いて連結一体化されるものである。
図１７は図７，８の実施例に準ずるものであり、上下に独立した三面筒状体が、片面粘着テープなどの連結用手段を介して連結一体化されている。
図１８は図５，６の実施例に準ずるものであり、水平面２のない平板ボード（ａ）と傾斜面１′をあわせもつ平板ボード部品（ｃ）とが各傾斜面１，１′において両面粘着テープなど固定用手段により固定一体化されて設けられている。
図１９は図５，６と図７，８の両実施例の組合された様なものであり、上下一対の三面筒状体を構成する各傾斜面１が連結部を境にしその半面が延長され相手の筒状体の傾斜面を形成し、他の半面が折り返しされて当方の筒状体の傾斜面を形成して設けられ、２重とされた各傾斜面は接着剤などの固定用手段により一体化されるとよい。
図２０は図５，６の実施例に準ずるものであり、各水平面が外側からの平板ボード部品（ｃ）とその固定用手段により一体化されて設けられている。
図２１は、図５，６と図２０の実施例に準ずるものであり各水平面が２本のトラス構造体に共通の長尺状平板ボード部品（ｃ）とその接着代により固定一体化されている。
図２１は図７，８の実施例に準じ、水平面が三面筒状体の外部により折曲されて設けられ、平板ボード部品（ｃ）により固定一体化されるものである。
この他に図示されていないが上下に一対となる略三面筒状体において、該両筒状体の同軸とした各綾線部が相互に連結一体化されるとともに上下いずれかの該筒状体の水平面が選択可能な部位の接着代により、固定一体化されて形成されるトラス構造体つまり上下一方の水平面がその奥行寸法Ｌｏを固定されもう一方の水平面のみがその奥行寸法Ｌを可変とされ所定の高さ寸法Ｈを任意に選択可能とするトラス構造も本発明に有効である。また上記各実施例を適ギ組合せても又上部と下部の三面筒状体にそれぞれ用いわけても有効である。
この他に様さな変化形が着想し得て容易であるが本発明が原理的なものであるが故に、いずれも本発明に含まれて有効である。
【００１３】なお図３，４、図２３，２４において戸棚天板と天井面の間隔Ｈｏが示されているが、本発明のトラス構造体自身の高さ寸法Ｈとの関係を説明すれば、ＨはＨｏに近似するが微視的にはＨ＜Ｈｏとされ（Ｈｏ−Ｈ）の値は数ｍｍ程度が通常である。したがいジャッキ式従来例のように（Ｈｏ−Ｈ）値を限りなく小さくする必要はない。また戸棚と本トラス構造体とのすきまに新聞用紙の束を飼物とすれば上記ｍｍ単位に何んら拘わる必要もない。
上記条件を少しかえ戸棚の前面底部（図２３の１５）に軟質プラスチックなどのくさび状飼物を用いるとすれば、その戸棚天板の傾斜角に準じて、トラス構造体の底部水平面にしかるべき飼物を設置するか、それともあらかじめトラス構造体の上下両略水平面を相互に、しかるべき傾斜面として設けてもよい。
【００１４】本発明のトラス構造体が耐震用具として働くその作用効果を説明すれば図２３において天井面線Ｃ．Ｌ．と戸棚（ｄ）の天板線１３の間隔Ｈｏに挿入設置された本トラス構造体（ａ）が示されており、また地震時の外力により回転軌跡１１にそい戸棚の対角線１２が１２′へと微小回転したとすれば戸棚天板隅部１４が１４′へと移動する。その隅部１４の移動により長点線で示される当初のトラス構造体（ａ）はその安定した三面形状ゆえに短点線で示された事後のトラス構造体（ａ″）へと上下両三面筒状体の連結部を水平方向に大きく移動させ、さらに上部筒状体の水平面を傾斜させる結果、天井面が脆弱であれば傾斜する水平面の片方折曲部５が天井面を突き抜けて５′の位置まで本トラス構造体は変形を余儀なくされるはづである。
図２４においては、図２３とことなり天井面が頑丈に設けられるとき、トラス構造体（ａ″）の上部三面筒状体の折曲部５′はその突出を抑えられる結果、上下両三面筒状体（ａ″）の片側傾斜面１′が湾曲もしくは屈曲さられて対応せざるを得ない過程を、図２３の局部を拡大して示している。
上記図２３，２４はともに戸棚の小さくない回転角とその転倒開始状態を便ギ上例示しているが、現実の地震時には本トラス構造体を構成する傾斜面が充分な面内外の剛性強度を持つ様に設計されるため、ごくわずかの回転角間で戸棚の転倒開始が完全に抑止されのが本発明の耐震用具の特徴である。なお本トラス構造体の底面２と戸棚天板間におきる滑りを防止するために底面２もしくは底面２に近い傾斜面１と戸棚天板もしくは戸棚背板との間に両面粘着テープなどの連結、固定用手段を設けることにより本トラス構造体の耐震効果はより確実なものとなり、またさらに床面Ｆ．Ｌと棚底面のすべり防止のために戸棚底面手前部１５附近に軟質プラスチックのくさび状敷物を設けると本トラス構造体の働きはさらに向上する。
【００１５】本発明のトラス構造体に用いられる平板ボード（ａ）、平板ボード部品（ｃ）には様々な素材、資材とその各種構成方法がある。まづ主構造材として耐水型段ボールシートとその複層とされたものがあり、その段ボールのライナーと芯材には紙シート、紙を基材とした各種シートとしたものが用いられ、その他にプラスチック段ボールシート、発泡スチロールのサンドウィッチシート、ハニカムシートがあり、そのライナーをプラスチックシート、紙シート、紙シートを基材とする各種シートとしたものが用いられ、それらが単板としてもしくは適宜複層化されて本平板ボード（ａ）、平板ボード部品（ｃ）に加工されるとよい。
これらとはちがい多層紙シート、プラスチックシート、ベニヤシート、金層シートなど比較的罫線加工が容易でないやや厚手の素材が、折曲加工された状態された状態もしくはそれらが面部位１，２毎に切断された部品材が何らかの手段で連結一体化され平板ボード（ａ）として用いられてもよい。
次にその表面材として通常の化粧耐水紙シート、エンボスプラシート、メタリック蒸着プラシート、木、目模様、柄模様などの印刷シート、織物シートなどが本発明の平板ボード（ａ），（ｃ）に用いられるとよい。上記各構造材、各表面材が適宜選択組合されて得られる平板ボード（ａ），（ｃ）もまた切断された各種素材の各部品１，２の構造シートが部位１，２又は１′，２′に相当する位置に設けられた後、平板ボード（ａ），（ｃ）の略寸法に対応した２葉の各種素材の表面材などによりサンドウィッチ状に、接着固化し連結一体化されて得る平板ボード（ａ），（ｃ）も本発明に有効である。
【００１６】本発明のトラス構造体に採用される平板ボード（ａ），（ｃ）の折曲加工方法として様々なものがあり、段ボール製ボードでは罫線折曲、プラスチックボードでは局部加熱折曲、金属ボードでは機械折曲、木質などのボードでは局部切込み又は同切除後の折曲などの方法があり、場合によってはそれら平板ボード（ａ）が複数の部品材１，２に切断後、粘着テープやヒンジ状プラスチックなどの連結用手断を介した折曲部形成などの方法がありいずれも本発明に有効である。
【００１７】また本発明のトラス構造体における連結一体化とは、同軸とした上下両筒状体の各綾線部を一体化する方法の総称であり、その一体化された部分を連結部（ピン構造部）と呼びその連結用手段として片、両面粘着テープによる接着や複数のハトメ、鋲、ビス、ホチキスマックなどによる線状緊結や接近した両折曲可能部間の接着剤の塗付、固化などが適宜選択されるとよい。
また本発明のトラス構造体における固定一体化とは、実質的に同一面上の接着代を介して両単位ボードを一体化する方法の総称であり、その一体化された部分を固定部（剛構造部）と呼びその固定用手段として両面粘着テープによる接着、接着剤による塗付、固化、複数のハトメ、鋲、ビス、ホチキスマックなどによる面状緊結などが適宜選択されるとよい。
さらにまたすでに固定されていた旧部位を他の部位に移す場合には接着代などに剥離再接着が可能な両面粘着テープ又は部位選択の可能な複数ホックなどのトメ金、又はマジックテープなどを設ける方法も本発明に有効である。
【産業上の利用可能性】
【００１８】本発明のトラス構造体は、地震時において室内の食器戸棚、衣装ダンス、本棚飾り棚など大型家具類の耐震用具として有用であるばかりでなく食器戸棚でのこわれやすい食器類の転倒、重ねくずれや本棚から書籍類の落下や、オーディオラックからのテレビ、ビデオ、各種チューナーの転落などを防止、抑止するために有用かつ見てくれも悪くないローコスト用具として最適である。
また大型倉庫内において、多少の地震時においても積みあげられた商品の荷くずれを是が非でも回避したい場合などは天井や梁材を利用するかそれにかわるものとして所定の高さと平面位置に臨機応変に設けられた頭おさえ材を利用した上で本トラス構造体を採用すればローコストにして迅速なセキュリティー機能を発揮出来る。
また、オフィス内において背の高いラック類や通信情報機器などの転倒落下を防止する手段として本トラス構造体は用いられて効果的である。
さらに災害時にかきらず、各種貨物を輪送するトラック、列車、輪出用コンテナーの荷くずれ防止のために、段ボールなどで製作すればその廃棄処分にも好都合である。
【図面の簡単な説明】
【００１９】
【図１】従来例の耐震用具の室内設置姿図。
【図２】従来例の耐震用具の室内設置姿図。
【図３】本発明の耐震用具の室内設置姿図。
【図４】本発明の耐震用具の室内設置姿図。
【図５】本発明のトラス構造体斜視姿図。
【図６】本発明のトラス構造体斜視姿図。
【図７】本発明のトラス構造体斜視姿図。
【図８】本発明のトラス構造体斜視姿図。
【図９】本発明の組立て前の中間構造体の斜視姿図。
【図１０】本発明の組立て前の中間構造体の斜視姿図。
【図１１】本発明の組立て前の平板部品ボードの斜視姿図。
【図１２】本発明の中間構造体の資材平板シートの斜視姿図。
【図１３】本発明の中間構造体の部材・平板ボードの斜視姿図。
【図１４】木発明の中間構造体の部品・連結用手段の斜視姿図。
【図１５】本発明のトラス構造体斜視姿図。
【図１６】本発明のトラス構造体斜視姿図。
【図１７】本発明のトラス構造体斜視姿図。
【図１８】本発明のトラス構造体斜視姿図。
【図１９】本発明のトラス構造体斜視姿図。
【図２０】本発明のトラス構造体斜視姿図。
【図２１】本発明のトラス構造体斜視姿図。
【図２２】本発明のトラス構造体斜視姿図。
【図２３】本発明のトラス構造体の耐震作用説明断面図。
【図２４】本発明のトラス構造体の耐震作用説明・部分拡大断面図。
【符号の説明】
【００２０】イ．  従来例の耐震用具。
ロ．  従来例の耐震用具。
（ａ），（ａ′），（ａ″）  本発明のトラス構造体、平板ボード、平板シート。
（ｂ），（ｂ′）  連結用手段、同手段設置部位。
（ｃ）  平板ボード部品。
（ｄ），（ｄ′）  戸棚。
１，１′  平板ボード上傾斜面相当部、三面筒状体の傾斜面。
２，２′  平板ボード上水平面相当部、三面筒状体の水平面。
４、  平板ボード上稜線相当罫線、三面筒状体の稜線部。
５，５′  平板ボード上折曲線相当罫線、三面筒状体の折曲部。
６  平板ボード上連結部相当面、三面筒状体の連結部。
７  平板ボード上長辺端部相当罫線。
８  平板ボード上短辺端部相当罫線。
９  平板ボード上折り返えし端部。
１１  戸棚回転軌跡。
１２  戸棚対角線。
１３，１３′  接着代、新接着代。
１４，１４′  戸棚天板の奧隅線。
Ｈ，Ｈ′  トラス構造体高さ寸法。
Ｈｏ  戸棚天板と天井面との間隔。
Ｌ，Ｌ′  トラス構造体奥行き寸法。
Ｗ、  トラス構造体巾寸法。
【図１】
2007098104.tif 000003
【図２】
2007098104.tif 000004
【図３】
2007098104.tif 000005
【図４】
2007098104.tif 000006
【図５】
2007098104.tif 000007
【図６】
2007098104.tif 000008
【図７】
2007098104.tif 000009
【図８】
2007098104.tif 000010
【図９】
2007098104.tif 000011
【図１０】
2007098104.tif 000012
【図１１】
2007098104.tif 000013
【図１２】
2007098104.tif 000014
【図１３】
2007098104.tif 000015
【図１４】
2007098104.tif 000016
【図１５】
2007098104.tif 000017
【図１６】
2007098104.tif 000018
【図１７】
2007098104.tif 000019
【図１８】
2007098104.tif 000020
【図１９】
2007098104.tif 000021
【図２０】
2007098104.tif 000022
【図２１】
2007098104.tif 000023
【図２２】
2007098104.tif 000024
【図２３】
2007098104.tif 000025
【図２４】
2007098104.tif 000026